(57)【要約】      （修正有）【課題】ヘルスダイエットマシンにおいて，２個の踏み台が交代に上下振動運動をすることをもって、踏み台に立って乗れば使用者が力を要することなく有酸素運動をすることを可能とする。【解決手段】両端に踏み台１１, １３がそれぞれ配置されたシーソーフレーム１０の中心に、センターシャフト１５が装着され、上記のセンターシャフト１５が本体ボックス１に装着された軸受け１７により支持され、上記のシーソーフレーム１０のいずれか一つの端部の下部面に取り付けられたブラケット１９に上下振動手段２０が接続され、上記の上下振動手段２０に装着された偏心カム４１にモータ４３の駆動軸４５がはめられることにより、偏心カム４１の作用により上下振動手段２０が上下に振動し、上記の上下振動手段２０の振動によりシーソーフレーム１０がセンターシャフト１５を中心として速くシーソー振動運動をする。【選択図】図２
2006289051.tif 000002
【特許請求の範囲】
【請求項１】
両端に踏み板(１１, １３) がそれぞれ配置されたシーソーフレーム(１０)と，
前記シーソーフレーム(１０)の中心に装着されたセンターシャフト(１５)と，
本体ボックス(１)に装着され，前記センターシャフト(１５)を支持する軸受け(１７)と，
前記シーソーフレーム(１０)のいずれか一つの端部の下部面に取り付けられたブラケット(１９)と，
前記ブラケット(１９)に接続された上下振動手段(２０)と，
前記上下振動手段(２０)に装着された偏心カム(４１)と，
前記偏心カム(４１)に駆動軸(４５)がはめられたモータ(４３)を有し，
前記偏心カム(４１)の作用により前記上下振動手段(２０)が上下に振動し、該上下振動手段(２０)の振動により前記シーソーフレーム(１０)が前記センターシャフト(１５)を中心としてシーソー振動運動をする，
ことを特徴とするヘルスダイエットマシン。
【請求項２】
請求項１において、
前記上下振動手段(２０)は、内輪ケーシング(２２)を有する下部ベアリング(２１)と，内輪ケーシング(２７)有する上部ベアリング(２６)と，前記下部ベアリング(２１)と上部ベアリング(２６)を連結する連結部材(３１)を有し，
前記下部ベアリング(２１)の内輪ケーシング(２２)に前記偏心カム(４１)がはめられ、前記偏心カム(４１)の偏心孔(４２)に前記モータ(４３)の駆動軸(４５)がはめられ、
前記上部ベアリング(２６)の内輪ケーシング(２７)にタップ孔(３６)が形成された連結軸部材（３５）がはめられ、前記連結軸部材（３５）が前記ブラケット(１９)の孔にはめられた状態で、前記連結軸部材(３５)のタップ孔(３６)にボルトが締結されて、前記連結軸部材(３５)がシーソーフレーム(１０)のブラケット(１９)の孔に連結される，
ことを特徴とするヘルスダイエットマシン。
【請求項３】
請求項２において、
前記連結部材(３１)は、３ 個の“８”型状部材(３２, ３３, ３４)により構成され、
前記“８”型状部材(３２, ３３, ３４)の上部孔および下部孔が，前記下部ベアリング(２１)および上部ベアリング(２６)の外輪ケーシング(２３, ２８)にそれぞれはめられており、
固定キー(３７)により前記“８”型状部材(３２, ３３, ３４)が下部ベアリング(２１)の外輪ケーシング(２８)に固定される，
ことを特徴とするヘルスダイエットマシン。
【請求項４】
請求項３において、
前記”８”型状部材の中間部材（３３）が，一方側の“３”形状部(３３a)と反対側の“３”形状部(３３b)を有するように垂直に二等分されていて、
前記一方側の“３”形状部(３３a)と反対側の“３”形状部(３３b)が前記下部ベアリング(２１)の外輪ケーシング(２３)および前記上部ベアリング(２６)の外輪ケーシング(２８)の外周に形成された凹溝(２４, ２９)にはめられる，
ことを特徴とするヘルスダイエットマシン。
【発明の詳細な説明】
【技術分野】
【０００１】
本発明は，踏み台が交代に上下振動運動をすることをもって、踏み台に立って乗れば使用者が力を要することなく有酸素運動をすることができるヘルスダイエットマシンに関する。より詳細には、シーソーフレームのいずれか一つの端部を上下振動させることにより、シーソーフレームの両端が自身のセンターシャフトを中心として交代に速く上下振動運動をすることができるヘルスダイエットマシンに関する。
【背景技術】
【０００２】
“垂直上下振動運動機具”が特許文献１に紹介されている。かかる特許文献１に記載の発明に係る垂直上下振動運動機具は，機械の作動を操作するコンソールを固定するコントロールボックス、このコントロールボックスを支持するように立てられたポスト、機械を作動させるすべての駆動装置が入っている本体、使用者の運動時、使用者の身体を支持するためのハンドルにより構成されている。
【０００３】
そして，前記本体に入っている駆動装置は、使用者の両足を乗せる踏み台，回転力を発生するモータ，前記モータから発生した回転力を両側に伝達するシャフト，前記のシャフトにはめられて回転力の回転偏差を減らすカップリング，前記シャフトを通じて伝達される回転力を上下運動に変換させて、前記の踏み板に伝達する偏心軸及び，前記の偏心軸を固定する偏心軸固定フレームを含んで構成される。
【特許文献１】大韓民国実用新案登録第３３４１４９号(２００３年１１月１３日登録)公報
【発明の開示】
【発明が解決しようとする課題】
【０００４】
しかし、上記の特許文献１に記載の垂直上下振動運動機具は、踏み板を上下振動させるためにそれぞれ２個のモーターシャフトと偏心軸がそれぞれ要求され、偏心軸を固定するための固定フレームが要求される。このために構造が複雑で、製造費用を多く所要するという短所がある。
【０００５】
したがって、本発明の目的は、両端に踏み板が配置されたシーソーフレームがいずれか一つの端部に上下振動手段が接続され、シーソーフレームの速いシーソー運動により踏み台を交代に速く上下振動させることができる簡単で堅固な構造により、低廉に製作することができるヘルスダイエットマシンを提供することにある。
【課題を解決するための手段】
【０００６】
上記課題を達成する本発明に従うヘルスダイエットマシンの基本的特徴は，両端に踏み板(１１, １３) がそれぞれ配置されたシーソーフレーム(１０)の中心に、センターシャフト(１５)が装着され、上記のセンターシャフト(１５)が本体ボックス(１)に装着された軸受け(１７)により支持され、上記のシーソーフレーム(１０)のいずれか一つの端部の下部面に取り付けられたブラケット(１９)に上下振動手段(２０)が接続され、上記の上下振動手段(２０)に装着された偏心カム(４１)にモータ(４３)の駆動軸(４５)がはめられることにより、偏心カム(４１)の作用により上下振動手段(２０)が上下に振動し、上記の上下振動手段(２０)の振動によりシーソーフレーム(１０)がセンターシャフト(１５)を中心として速くシーソー振動運動をすることを特徴とする。
【０００７】
さらに，上記特徴において，上記の上下振動手段(２０)は、下部ベアリング(２１)と上部ベアリング(２６)が連結部材(３１)により連結され、上記の下部ベアリング(２１)の内輪ケーシング(２２)に偏心カム(４１)がはめられ、上記の偏心カム(４１)の偏心孔(４２)にモータ(４３)の駆動軸(４５)がはめられ、上部ベアリング(２６)の内輪ケーシング(２７)にタップ孔(３６)が形成された連結軸部材(３５)がブラケット(１９)の孔にはめられた状態で、上記の連結軸部材(３５)のタップ孔(３６)にボルトが締結されて、連結軸部材(３５)がシーソーフレーム(１０)のブラケット(１９)の孔に連結されることを特徴とする。
【０００８】
また，前記特徴において，上記の連結部材(３１)は、３ 個の“８”型状部材(３２, ３３, ３４)により構成されて、上記の“８”型状部材(３２, ３３, ３４)の上部孔および下部孔が下部ベアリング(２１)および上部ベアリング(２６)の外輪ケーシング(２３, ２８)にそれぞれはめられており、固定キー(３７)により“８”型上部材(３２, ３３, ３４)が下部ベアリング(２１)の外輪ケーシング(２８)に固定されることを特徴とする。
【０００９】
さらにまた，前記特徴において，上記の”８”型状部材の中間部材(３３)が一方側の“３”形状部(３３a)と反対側の“３”形状部(３３b)を有するように垂直に二等分されていて、前記一方側の“３”形状部(３３a)および他方側の“３”形状部(３３b)が下部ベアリング(２１)の外輪ケーシング(２３)および上部ベアリング(２６)の外輪ケーシング(２８)の外周に形成された凹溝(２４, ２９)にはめられることを特徴とする。
【発明の効果】
【００１０】
上記に説明したとおり、本発明によるヘルスダイエットマシンは、シーソーフレームのいずれか一つの部分に１個の上下振動運動手段を接続するだけで、充分に踏み板は交代に速く上下振動運動させることができて、簡単で堅固な構造の低廉に製作することができる。
【発明を実施するための最良の形態】
【００１１】
上記のような目的を達成するための本発明の望ましい実施例を、図面を参照して詳細に説明する。
【００１２】
図１および図２ａ，図２ｂを参照すると、図１は、本発明によるヘルスダイエットマシンを図示した斜視図で、図２ａおよび図２ｂは、図１の本体に装着される本発明の要部作動を図示したものであって、上下振動手段によりシーソーフレームがシーソー振動運動をする例を概略的に図示した正面図である。
【００１３】
本発明によるヘルスダイエットマシンは、両端に踏み板(１１, １３)がそれぞれ配置されたシーソーフレーム(１０)の中心にセンターシャフト(１５)が装着される。上記のセンターシャフト(１５)が本体ボックス(１)に装着された軸受け(１７)により支持され、上記のシーソーフレーム(１０)のいずれか一つの端部の下部面に取り付けられたブラケット(１９)に上下振動手段(２０)が接続される。上記の上下振動手段(２０)に装着された偏心カム(４１)にモータ(４３)の駆動軸(４５)がはめられることにより、偏心カム(４１)の作用により上下振動手段(２０)が上下に振動し、上記の上下振動手段(２０)の振動によりシーソーフレーム(１０)がセンターシャフト(１５)を中心として速くシーソー振動運動をする。
【００１４】
図１において未説明の図面符号５１はハンドルであり、図面符号５３は制御パネル(５５)が装着された垂直フレームである。
【００１５】
上下振動手段（２０）の分解斜視図である図３および図４を参照すると、上記の上下振動手段(２０)は、下部ベアリング(２１)と上部ベアリング(２６)が連結部材(３１)により連結されている。上記の下部ベアリング(２１)の内輪ケーシング(２２)に偏心カム(４１)がはめられ、上記の偏心カム(４１)の偏心孔(４２)にモータ(４３)の駆動軸(４５ : 図１参照)がはめられ、上部ベアリング(２６)の内輪ケーシング(２７)にタップ孔(３６)が形成された連結軸部材(３５)がはめられ、更に上記の連結軸部材(３５)のタップ孔(３６)にボルト(図示せず)が締結されて、連結軸部材(３５)がシーソーフレーム(１０)のブラケット(１９)の孔に連結される。
【００１６】
上記の連結部材(３１)は、３ 個の“８”型上部材(３２, ３３, ３４)により構成されている。上記の“８”型上部材(３２, ３３, ３４)の上部孔および下部孔が下部ベアリング(２１)および上部ベアリング(２６)の外輪ケーシング(２３, ２８)にそれぞれはめられている。固定キー(３７)により“８”型上部材(３２, ３３, ３４)が下部ベアリング(２１)の外輪ケーシング(２８)に完全固定されている。特に、中間”８”型状部材(３３)が垂直二等分されていて、左側（一方側）の“３”形状部(３３a)および右側（他方側）の”３”形状部(３３b)が下部ベアリング(２１)の外輪ケーシング(２３)および上部ベアリング(２６)の外輪ケーシング(２８)のセンター（外周）に形成された凹溝(２４, ２９)にはめられる。これにより、偏心カム(４１)の偏心回転により連結部材(３１)が上下振動運動するとき、連結部材(３１)に対して下部および上部ベアリング(２１, ２６)と外輪ケーシング(２３, ２８)がスリップしないように結合されて、下部ベアリング(２１)および上部ベアリング(２６)に対する連結部材(３１)の相対振動または相対運動が発生しないようになる。これにより、連結部材(３１)が上下振動するとき、騒音が発生しない。
【００１７】
上記のように構成された本発明によるヘルスダイエットマシンは、モータ(４３)の駆動軸(４５)の回転により偏心カム(４１)が偏心回転運動するとき、図２aに示されたように、上記の偏心カム(４１)のノーズ部が駆動軸(４５)の下部に配置されれば、連結部材(３１)により下降して左側踏み板(１１)がシーソーフレーム(１０)のセンターシャフト(１５)を中心として下部に下降する。そして，図２bに示されたように、上記の偏心カム(４１)のノーズ部が駆動軸(４５)の上部に配置されれば、連結部材(３１)により上昇して左側踏み板(１１)がシーソーフレーム(１０)のセンターシャフト(１５)を中心として上部に上昇する。したがって，シーソーフレーム(１０)のセンターシャフト(１５)を中心として上部に上昇し、シーソーフレーム(１０)がセンターシャフト(１５)を中心として速いシーソー振動運動をすることになる。これにより、シーソーフレーム(１０)の両端に装着された踏み板(１１, １３)が交代に速く上下振動運動するようになることにより、上記の踏み板(１１, １３)に立って乗って、使用者は自身が力を要することなく有酸素運動効果を得ることができる。
【図面の簡単な説明】
【００１８】
【図１】本発明によるヘルスダイエットマシンを図示した斜視図である。
【図２】図１の本体に装着される本発明の要部作動を図示したものであって、上下振動手段によってシーソーフレームがシーソー振動運動をする例を概略的に図示した正面図である。
【図３】上下振動手段を図示した斜視図および分解斜視図（その１）である。
【図４】上下振動手段を図示した斜視図および分解斜視図（その２）である。
【符号の説明】
【００１９】
１０         シーソーフレーム      
１１，１３   踏み台
２０         上下振動手段
４１         偏心カム
４３         モータ
【図１】
2006289051.tif 000003
【図２】
2006289051.tif 000004
【図３】
2006289051.tif 000005
【図４】
2006289051.tif 000006